(57)【要約】【課題】  表面板を凸設させることなく背凭れに取り付けることが可能な椅子の表示板取付構造を提供すること。【解決手段】  表皮材６の一部に形成された凹部６ａによって、表示板１０，１１を凹部６ａ内に収納させた状態で取り付けることができるので、表皮材６の前面側に表示板１０，１１が凸設することを防止できることから、観客が背凭れ４に寄り掛かった場合でも背中に違和感を生じさせることなく、且つ観客の服が表示板１０，１１に引っ掛かることも防止される。【選択図】  図５
2005275208.tif 000002
【特許請求の範囲】
【請求項１】
座席番号等の表示された表示板が取り付けられる椅子において、少なくとも前記椅子の背凭れが、内部シェルとその前面を覆う表皮材を有しており、前記表示板は前記表皮材の一部に形成された凹部に取り付けられていることを特徴とする椅子の表示板取付構造。
【請求項２】
前記表示板と前記内部シェルとが連結部材で接続されており、前記連結部材の締め付け時に、前記内部シェルの前面を覆う表皮材が前記表示板に圧接されて凹部が形成され、該凹部に前記表示板が位置するようになっている請求項１に記載の椅子の表示板取付構造。
【請求項３】
前記表皮材と内部シェルとの間にクッション材が設けられ、前記連結部材の締め付け時に、少なくとも前記内部シェルの前面を覆う表皮材を介してクッション材が圧縮されて凹部が形成され、該凹部に前記表示板が位置するようになっている請求項２に記載の椅子の表示板取付構造。
【請求項４】
前記表示板が表面板と基板とからなり、前記基板と前記内部シェルとが連結部材で接続され、該連結部材の締め付け時に形成される凹部内に位置する基板に対して表面板を取り付けて表示板を構成するようにした請求項２または３に記載の椅子の表示板取付構造。
【請求項５】
前記表示板を構成する表面板と基板とが、互いに取り外し可能な面ファスナーで取り付けられている請求項４に記載の椅子の表示板取付構造。
【請求項６】
前記内部シェルの前面に前記クッション材を貫通して前記表皮材近傍に至る雌ネジ孔の形成された突設部が突設され、該突設部の雌ネジ孔には連結部材であるボルトで前記基板が取り付けられ、前記ボルトの締め付け時に少なくとも前記内部シェルの前面を覆う表皮材を介してクッション材が圧縮され、前記基板が前記凹部に位置するようになっている請求項４または５に記載の椅子の表示板取付構造。
【発明の詳細な説明】
【技術分野】
【０００１】
本発明は、椅子の背凭れに座席番号や会社名等を表示する表面板の取付構造に関する。
【背景技術】
【０００２】
従来、映画館及び劇場のホールや競技場等の会場に複数設置される椅子には、それぞれ座席を示すものとして、整理番号を付した表面板が背凭れの前面や背面等に凸設されている。そこで、会場に入場した観客は、椅子の表面板の整理番号を確認しながら、該当する整理番号の座席を探すことが可能になっている（例えば、特許文献１の従来例参照）。
【０００３】
【特許文献１】実開平７−１４４７７号公報（段落０００２−０００３、第６図）
【発明の開示】
【発明が解決しようとする課題】
【０００４】
しかしながら、特許文献１において、背凭れの前面側に表面板を取り付けた場合には、観客が椅子に座った際に表面板の凸設によって、背中に違和感を生じさせる恐れあるとともに、観客の服が表面板に引っ掛かる恐れがあった。
【０００５】
本発明は、このような問題点に着目してなされたもので、表面板を凸設させることなく背凭れに取り付けることが可能な椅子の表示板取付構造を提供することを目的とする。
【課題を解決するための手段】
【０００６】
上記課題を解決するために、本発明の請求項１に記載の椅子の表示板取付構造は、座席番号等の表示された表示板が取り付けられる椅子において、少なくとも前記椅子の背凭れが、内部シェルとその前面を覆う表皮材を有しており、前記表示板は前記表皮材の一部に形成された凹部に取り付けられていることを特徴としている。
この特徴によれば、表皮材の一部に形成された凹部に表示板が取り付けられるので、観客が背凭れに寄り掛かった場合でも背中に違和感を生じさせることなく、且つ観客の服が表示板に引っ掛かることも防止される。
【０００７】
本発明の請求項２に記載の椅子の表示板取付構造は、請求項１に記載の椅子の表示板取付構造であって、前記表示板と前記内部シェルとが連結部材で接続されており、前記連結部材の締め付け時に、前記内部シェルの前面を覆う表皮材が前記表示板に圧接されて凹部が形成され、該凹部に前記表示板が位置するようになっていることを特徴としている。
この特徴によれば、連結部材で表示板を内部シェルに締め付けることで、前記内部シェルの前面を覆う表皮材が前記表示板に圧接されて凹部が形成されるため、前もって背凭れに凹部を形成する必要がない。
【０００８】
本発明の請求項３に記載の椅子の表示板取付構造は、請求項２に記載の椅子の表示板取付構造であって、前記表皮材と内部シェルとの間にクッション材が設けられ、前記連結部材の締め付け時に、少なくとも前記内部シェルの前面を覆う表皮材を介してクッション材が圧縮されて凹部が形成され、該凹部に前記表示板が位置するようになっていることを特徴としている。
この特徴によれば、表皮材と内部シェルとの間にクッション材を設けることで、クッション材の弾性力を利用してより深い凹部が形成されることになる。
【０００９】
本発明の請求項４に記載の椅子の表示板取付構造は、請求項２または３に記載の椅子の表示板取付構造であって、前記表示板が表面板と基板とからなり、前記基板と前記内部シェルとが連結部材で接続され、該連結部材の締め付け時に形成される凹部内に位置する基板に対して表面板を取り付けて表示板を構成するようにしたことを特徴としている。
この特徴によれば、表示板の一部である基板が固定されているため、表示板の一部である表示面の着脱作業のみで表示内容の変更が行えることから、表示板の交換作業を短時間で行うことができる。
【００１０】
本発明の請求項５に記載の椅子の表示板取付構造は、請求項４に記載の椅子の表示板取付構造であって、前記表示板を構成する表面板と基板とが、互いに取り外し可能な面ファスナーで取り付けられていることを特徴としている。
この特徴によれば、互いの面ファスナーの係合によって、表面板を基板に取り付けることができるので表面板の着脱が容易に行える。また、凹部内に表面板が入り込むことによって、表面板が基板から容易に外れることがない。
【００１１】
本発明の請求項６に記載の椅子の表示板取付構造は、請求項４または５に記載の椅子の表示板取付構造であって、前記内部シェルの前面に前記クッション材を貫通して前記表皮材近傍に至る雌ネジ孔の形成された突設部が突設され、該突設部の雌ネジ孔には連結部材であるボルトで前記基板が取り付けられ、前記ボルトの締め付け時に少なくとも前記内部シェルの前面を覆う表皮材を介してクッション材が圧縮され、前記基板が前記凹部に位置するようになっていることを特徴としている。
この特徴によれば、内部シェルから突設部が延設され、基板が突設部の前端に取り付けられるので、基板を強固に位置決めできる。
【発明を実施するための最良の形態】
【００１２】
本発明の実施例を以下に説明する。
【実施例】
【００１３】
図1は、本発明の実施例における表面板の取付構造が適用された椅子の全体像を示す斜視図であり、図２（ａ）は、椅子の背凭れを示すＡ−Ａ線の断面図であり、図２（ｂ）は、背凭れの分解組立断面図を示す図であり、図３は、表面板の取り付け過程を示す要部拡大斜視図であり、図４（ａ）は、基板の取り付けを示す要部拡大断面図であり、図４（ｂ）は、表面板の取り付けを示す要部拡大断面図であり、図５は、表面板の取り付けられた背凭れの部分拡大断面図である。この表示板は、映画館、劇場等のホールや競技場等の会場に複数設置される観客用の椅子（以下、椅子１）に主に利用されている。
【００１４】
本発明の実施例を図面に基づいて説明すると、図１に示されるように椅子１は、床面に複数の脚部３が横一列に間隔を設けて固着され、脚部３間に後述する外部シェル（図示略）が取り付けられており、外部シェル（図示略）の前面に背凭れ４が取り付けられているとともに、座部２が上方に回動可能に取り付けられており、未使用時には座部２の前端を持ち上げるだけで背凭れ４の前側に収納可能になっている。
【００１５】
脚部３の上部の後端側には、隣接する背凭れ４の隙間に収納可能に軸支された肘当て１５がそれぞれ取付けられおり、肘当て１５の前端部に飲料用カップ２１等を収納できるカップホルダ１６が取り付けられている。以下、本実施例では椅子１の正面側を前方とし、椅子１の背面側を後方として説明する。
【００１６】
背凭れ４は、観客２３（以下、図示略）の背中を受ける背受部４ａと頭を受ける頭受部４ｂとからなり、背凭れ４の前面側の形状が背受部４ａと頭受部４ｂの境目に向かって若干後方に傾斜するように形成されている。背受部４ａと頭受部４ｂの境目の前面中央部の近傍位置には、各椅子毎に付与される座席番号が表示された表示板の一部である表面板１０が取り付けられており、会場に入場した観客が指定された座席を探す際の案内手段になっている。
【００１７】
次いで、表面板１０が取り付けられた背凭れ４について詳細に説明する。図２（ａ）に示されるように、背凭れ４は、内部に衝撃吸収性のあるクッション材５（本実施例では海綿状のウレタン）が設けられ、クッション材５の前面側を覆うように表皮材６（本実施例では耐久性のある合成皮）が取り付けられ、背面側に硬質プラスチックの押出しにより成型された内部シェル８が設けられている。このようにして構成される背凭れ４が硬質プラスチックの押出しにより成型された外部シェル９に取り付けられている。
【００１８】
そこで、背凭れ４の組立構造について説明すると、図２（ｂ）に示されるように、背凭れ４は、内部シェル８の前面にクッション材５の背面と表皮材６の後端部が接着剤等で固着され、取り付けられるようになっている。内部シェル８前面には、突設部７が前方に突設され、この突設部７の延長線上に位置する表皮材６の前面位置に、後述において詳述する表面板１０が取り付けられるようになっている。
【００１９】
内部シェル８の上下の所定位置には、係止受部８ａが複数（本実施例では３箇所）形成され、外部シェル９の上下の所定位置には、前方且つ上方に向く係止片９ａが形成されており、係止片９ａに係止受部８ａを係合可能になっている。
【００２０】
つまり、これら複数の係止片９ａに複数の係止受部８ａを係合させるだけで、背凭れ４を容易に外部シェル９に安定して取り付けることができるとともに、外部シェル９から背凭れ４を取り外す場合には、背凭れ４を上方に持ち上げるだけで係止片９ａから係止受部８ａの係合を解除して背凭れの取り外しを行うことができる。
【００２１】
次に、図３に示されるように、表示板Ａは表面板１０と基板１１とで構成され、表面板１０は、薄板状のプレート（本実施例ではプラスチック板および金属板）で形成され、表示面１０ａに座席番号、背面に面ファスナーの一方面には、取付面であるフック面１０ｂが設けられている。基板１１は、突設部７の雌ネジ孔７ａに対応する位置にネジ孔１１ａが形成され、前面に面ファスナーの他方面であるループ面１１ｂが設けられている。
【００２２】
このように、従来公知の面ファスナ機能を利用したフック面１０ｂとループ面１１ｂの互いの係合により、表面板１０を基板１１に取り付けることができるので表面板１０の着脱が容易に行え、例えば、表面板１０に表示される表示内容の変更を行いたい場合には、基板１１を取り外すことなく新たな表面板１０のみを交換するだけでよく、表面板１０の製造コストも低減できる構造になっている。また、表面板１０の取り付けによって、基板１１に取り付けられたボルト２０を外部から遮蔽することができる。
【００２３】
内部シェル８の前面に突設して設けられた突設部７は、板状の硬質プラスチック材により成型されており、左右の両端部に雌ネジ孔７ａが形成され、連結部材であるボルト２０の締め付けを行えるようになっている。同じく表皮材６にも雌ネジ孔７ａに対応する位置にネジ孔６ａが形成されている。
【００２４】
基板１１及び表面板の取り付けについて具体的に説明すると、まず図４（ａ）に示されるように、内部シェル９にクッション材５が取り付けられた際、クッション材５の背面側から突設部７が押し込まれ、徐々に表皮材６の裏面近傍に至るまで貫通されていく。
【００２５】
次いで、ボルト２０を基板１１のネジ孔１１ａに挿通させながら、表皮材６のネジ孔６ｂを介して、突設部７の雌ネジ孔７ａに締め付けていくと、基板１１の背面が表皮材６に当接し、クッション材５の前面側が後方に押圧されていく。
【００２６】
さらに、ボルト２０を雌ネジ孔７ａに締め付けることで、図４（ｂ）に示されるように、基板１１の背面と突設部７の先端面が表皮材８を挟持した状態で位置固定され、基板１１の取り付けが完了する。このように、内部シェル８から突設部７が延設され、基板１１が突設部７の前端に取り付けられるので、基板１１を強固に位置決めできる。
【００２７】
この基板１１の取付状態では、基板１１の裏面と当接する表皮材６のみ部分的にボルト２０の締め付けによって圧接され、この表皮材６を介してクッション材５が圧縮されて凹部６ａが形成され、凹部６ａ内に位置する基板１１に対して表面板１０の取り付けを行える構造になっており、前もって背凭れ４に凹部６ａを形成する必要がない。また、凹部６ａ内に表面板１０が入り込むことによって、表面板１０が基板１１から容易に外れることがない。
【００２８】
そして、表皮材６と内部シェル８との間には、クッション材５が設けられていることから、ボルトによる表皮材６と内部シェル８の締め付けにより、クッション材５の弾性力を利用してより深い凹部６ａが形成されることになる。
【００２９】
図５に示されるように、基板１１に表面板１０が取り付けられると、表面板１０が凹部６ａ内に収納される。つまり、表示板Ａを表面板１０と基板１１で構成することにより、表示板Ａの一部である基板１１が突設部７にボルト２０で固定されて常に凹部６ａが形成された状態になるため、表示板Ａの取り付け時に新たに凹部６ａを形成する手間が省けることから、表示板Ａの一部である表示面１０の着脱作業のみで表示内容の変更が行え、表示板Ａの交換作業を短時間で行うことができる。
【００３０】
以上の説明により本実施例では、表皮材６の一部に形成された凹部６ａに表示板Ａに相当する表面板１０及び基板１１が凹部６ａ内に収納させた状態で取り付けられることから、観客が背凭れ４に寄り掛かった場合でも背中に違和感を生じさせることなく、且つ観客の服が表示板Ａ（表面板１０、基板１１）に引っ掛かることも防止される。
【００３１】
以上、本発明の実施例を図面により説明してきたが、具体的な構成はこれら実施例に限られるものではなく、本発明の要旨を逸脱しない範囲における変更や追加があっても本発明に含まれ、例えば上記実施例では、内部シェル８の前面に雌ネジ孔７ａが形成された突設部７が設けられることで、ボルト２０の雌ネジ孔７ａへの締め付けによって基板１１の取り付けが容易に行えることから好ましいが、本発明はこれに限定されるものではなく、突設部７を設けることなく、例えば、基板１１を表皮材６とクッション材５を介して内部シェル８にボルト等の連結部材の締め付けの調整により、凹部を形成して表面板１０を取り付けるようにしても良い。
【００３２】
また、上記実施例では、表面板１０の基板１１への取り付けに面ファスナ構造を用いていることから容易に互いの着脱が行えるとともに表面板１０の製造コストも低減されることから好ましいが、本発明はこれに限定されるものではなく、基板１１への着脱が容易に行える表面板１０であれば、面ファスナ構造に限らず他の着脱構造を用いても良い。
【００３３】
また、上記実施例では、クッション材５に突設部７を押し込んで表皮材６の裏面近傍に至る位置まで貫通させているが、本発明はこれに限定されるものではなく、クッション材５に前後に貫通する切り溝を形成することで、突設部７を切り溝内に挿通させ表皮材６の裏面近傍に至る位置に案内させるようにしても良い。
【図面の簡単な説明】
【００３４】
【図１】本発明の実施例における表面板の取付構造が適用された椅子の全体像を示す斜視図である。
【図２】（ａ）は、椅子の背凭れを示すＡ−Ａ線の断面図であり、（ｂ）は、背凭れの分解組立断面図を示す図である。
【図３】表面板の取り付けを示す要部拡大斜視図である。
【図４】（ａ）は、基板の取り付けを示す要部拡大断面図であり、（ｂ）は、表面板の取り付けを示す要部拡大断面図である。
【図５】表面板の取り付けられた背凭れの部分拡大断面図である。
【符号の説明】
【００３５】
１                椅子
２                座部
３                脚部
４                背凭れ
４ａ              背受部
４ｂ              頭受部
５                クッション材
６                表皮材
６ａ              凹部
６ｂ              ネジ孔
７                突設部
７ａ              雌ネジ孔
８                内部シェル
８ａ              係止受部
９                外部シェル
９ａ              係止片
１０              表面板（表示板の一部）
１０ａ            表示面
１０ｂ            フック面（面ファスナーの一方）
１１              基板（表示板の一部）
１１ａ            ネジ孔
１１ｂ            ループ面（面ファスナーの他方）
１５              肘当て
１６              カップホルダ
２０              ボルト（連結部材）
２１              カップ
２３              観客
Ａ                表示板
【図１】
2005275208.tif 000003
【図２】
2005275208.tif 000004
【図３】
2005275208.tif 000005
【図４】
2005275208.tif 000006
【図５】
2005275208.tif 000007